(57)【特許請求の範囲】
【請求項１】
秤量ブロックを含み、前記秤量ブロックの中には作業空間が設けられ、前記作業空間は挟持機構を含み、前記挟持機構は前記作業空間の上壁に回動可能に設けられた縦軸を含み、前記縦軸には二個の搬送ブロックが左右対称になるように設けられ、左の前記搬送ブロックを例に、前記搬送ブロックの中には横溝が形成され、前記横溝の中には左右移動可能な挟持ブロックが設けられ、前記横溝の後壁には横軸が回動可能に設けられ、前記横軸には後方から前方へ順にリールと接触歯車とが固定的に設けられ、前記リールには細線が巻かれ、前記横溝の下壁には固定ブロックが固定的に設けられ、前記固定ブロックは前記挟持ブロックの右側に設けられ、前記挟持ブロックの右面には前記細線が連結され、
前記挟持機構の右側には搬送機構が設けられ、前記搬送機構は前記作業空間の後壁に回動可能に設けられた傘歯車軸を含み、前記傘歯車軸には従動傘歯車と第一プーリとが固定的に設けられ、前記第一プーリは前記従動傘歯車の後側に設けられ、前記第一プーリには第一ベルトが巻かれ、前記作業空間の後壁には第一伝動軸が回動可能に設けられ、前記第一伝動軸には後方から前方へ順に第二プーリと第三プーリとが固定的に設けられ、前記第二プーリには前記第一ベルトが巻かれ、前記第三プーリには第一搬送ベルトが巻かれ、前記作業空間の後壁には第二伝動軸が回動可能に設けられ、前記第二伝動軸には後方から前方へ順に第一プーリと第四プーリとが固定的に設けられ、前記第一プーリには第二ベルトが巻かれ、前記第四プーリには前記第一搬送ベルトが巻かれ、
前記搬送機構の下側には測定機構が設けられ、前記測定機構は前記作業空間の後壁に形成された測定溝を含み、前記測定溝の中には上下移動可能な測定ブロックが設けられ、前記第一搬送ベルトの回転により薬品を前記測定ブロックの上面に送られ、前記測定ブロックの下面と前記測定溝の下壁とは測定ばねによって連結され、前記測定ブロックの中には二つの測定空間が左右対称になるように設けられ、左の前記測定空間を例に、前記測定空間の後壁には縦溝が形成され、前記縦溝の中には上下移動可能な推動棒が設けられ、前記推動棒の下面と前記縦溝の下壁とは復位ばねによって連結され、前記測定ブロックは上下移動することで薬品に秤量を行うことを特徴とする薬品生産ラインに用いる秤量装置。
【請求項２】
前記挟持機構は付勢棒を含み、前記作業空間の上壁には前記付勢棒が二本固定的に設けられ、且つ二本の前記付勢棒は前記縦軸の左右両側に対称になるように設けられ、前記横溝の後壁には復位溝が形成され、前記復位溝の中には上下移動可能な測定棒が設けられ、前記測定棒の下面と前記復位溝の下壁とは推動ばねによって連結され、前記縦軸には伝動傘歯車が固定的に設けられ、前記伝動傘歯車は前記搬送ブロックの下側に設けられ、前記作業空間の左壁には貫通溝が前記作業空間の左壁を左右貫通するように形成され、前記挟持ブロックの右面と前記固定ブロックの左面とは挟持ばねによって連結され、前記挟持ブロックは左右移動することで生産ラインにある薬品を挟持することを特徴とする請求項１に記載の薬品生産ラインに用いる秤量装置。
【請求項３】
前記搬送機構はさらに前記作業空間の下壁に設けられた廃棄物フレームを含み、前記廃棄物フレームの中には廃棄物空間が設けられ、前記作業空間の後壁には第三伝動軸が回動可能に設けられ、前記第三伝動軸には後方から前方へ順に第五プーリと第六プーリとが固定的に設けられ、前記第五プーリには前記第二ベルトが巻かれ、前記第六プーリには第二搬送ベルトが巻かれ、前記作業空間の後壁には第四伝動軸が固定的に設けられ、前記第四伝動軸には第七プーリが回動可能に設けられ、前記第七プーリには前記第二搬送ベルトが巻かれ、前記作業空間の左壁にはモータが固定的に設けられ、前記モータの右面にはモータ軸が回動可能に設けられ、前記モータ軸には左方から右方へ順にモータ傘歯車と連結傘歯車とが設けられていることを特徴とする請求項２に記載の薬品生産ラインに用いる秤量装置。
【請求項４】
前記測定機構はさらに移動空間の後面に固定されたエアフレームを含み、前記秤量ブロックの後面には前記移動空間が設けられ、前記エアフレームの中にはエア空間が設けられ、前記エア空間の中には上下移動可能な密封板が設けられ、前記密封板の前面は前記測定ブロックの後面に固定され、前記エア空間の前壁には第一測定穴、第二測定穴、第三測定穴が設けられ、前記エアフレームの下壁には通気口が設けられ、前記第一測定穴と前記第三測定穴は右の前記縦溝と連通しており、前記第二測定穴は左の前記縦溝と連通しており、三つの測定穴は同じ構成を有し、前記第二測定穴を例に、前記第二測定穴の右壁には左方に開口する回動空間が設けられ、前記回動空間の前壁には固定棒が固定的に設けられ、前記固定棒には密封ブロックが回動可能に設けられ、前記密封ブロックと前記固定棒とは捻りばねによって連結され、左の前記測定空間を例に、前記測定空間の後壁にはピンが固定的に設けられ、前記ピンには推動板が回動可能に設けられ、前記推動板の下面には下方に開口する回動溝が形成され、前記回動溝の後壁にはピン柱が固定的に設けられ、前記ピン柱には前記推動棒が回動可能に設けられていることを特徴とする請求項１に記載の薬品生産ラインに用いる秤量装置。
【請求項５】
前記復位ばね、前記測定ばね、前記捻りばねは自由状態にあり、前記推動ばねと前記挟持ばねとは圧縮状態にあり、前記第一測定穴にある前記捻りばねは、前記第二測定穴にある前記捻りばねより弾性が弱く、前記第二測定穴にある前記捻りばねは、前記第三測定穴にある前記捻りばねより弾性が弱いことを特徴とする請求項４に記載の薬品生産ラインに用いる秤量装置。
【請求項６】
前記通気口により空気は上方へしか前記エア空間に入ることができなく、前記エア空間にある空気は前記通気口を介して本願発明の外部に行けないことを特徴とする請求項４に記載の薬品生産ラインに用いる秤量装置。
【発明の詳細な説明】
【技術分野】
【０００１】
本願発明は薬品秤量分野を取り上げ、特に薬品生産ラインに用いる秤量装置に関わる。
【背景技術】
【０００２】
製薬業において、薬品は基本的に別々に包装され、薬量も規定されている。薬品の生産加工において、薬品を包装した後に、薬品袋が過重又は重量不足にならないように、さらに薬品袋を秤量する必要がある。しかし、既存技術において、薬品袋に対する秤量手段は、人力によって一つ一つはかり、効率が悪く、コストも高い。
【先行技術文献】
【特許文献】
【０００３】
【特許文献１】中国特許出願公開第１０８６１３７２４号明細書
【発明の概要】
【発明が解決しようとする課題】
【０００４】
薬品生産ラインに用いる秤量装置を提供し、人工測定の効率問題や、人工測定の誤差問題などを解決することを目的とする。
【課題を解決するための手段】
【０００５】
本願発明は以下の技術的解決策によって実現される。
【０００６】
本願に記載の薬品生産ラインに用いる秤量装置は、秤量ブロックを含み、前記秤量ブロックの中には作業空間が設けられ、前記作業空間は挟持機構を含み、前記挟持機構は前記作業空間の上壁に回動可能に設けられた縦軸を含み、前記縦軸には二個の搬送ブロックが左右対称になるように設けられ、左の前記搬送ブロックを例に、前記搬送ブロックの中には横溝が形成され、前記横溝の中には左右移動可能な挟持ブロックが設けられ、前記横溝の後壁には横軸が回動可能に設けられ、前記横軸には後方から前方へ順にリールと接触歯車とが固定的に設けられ、前記リールには細線が巻かれ、前記横溝の下壁には固定ブロックが固定的に設けられ、前記固定ブロックは前記挟持ブロックの右側に設けられ、前記挟持ブロックの右面には前記細線が連結され、
前記挟持機構の右側には搬送機構が設けられ、前記搬送機構は前記作業空間の後壁に回動可能に設けられた傘歯車軸を含み、前記傘歯車軸には従動傘歯車と第一プーリとが固定的に設けられ、前記第一プーリは前記従動傘歯車の後側に設けられ、前記第一プーリには第一ベルトが巻かれ、前記作業空間の後壁には第一伝動軸が回動可能に設けられ、前記第一伝動軸には後方から前方へ順に第二プーリと第三プーリとが固定的に設けられ、前記第二プーリには前記第一ベルトが巻かれ、前記第三プーリには第一搬送ベルトが巻かれ、前記作業空間の後壁には第二伝動軸が回動可能に設けられ、前記第二伝動軸には後方から前方へ順に第一プーリと第四プーリとが固定的に設けられ、前記第一プーリには第二ベルトが巻かれ、前記第四プーリには前記第一搬送ベルトが巻かれ、
前記搬送機構の下側には測定機構が設けられ、前記測定機構は前記作業空間の後壁に形成された測定溝を含み、前記測定溝の中には上下移動可能な測定ブロックが設けられ、前記第一搬送ベルトの回転により薬品を前記測定ブロックの上面に送られ、前記測定ブロックの下面と前記測定溝の下壁とは測定ばねによって連結され、前記測定ブロックの中には二つの測定空間が左右対称になるように設けられ、左の前記測定空間を例に、前記測定空間の後壁には縦溝が形成され、前記縦溝の中には上下移動可能な推動棒が設けられ、前記推動棒の下面と前記縦溝の下壁とは復位ばねによって連結され、前記測定ブロックは上下移動することで薬品に秤量を行う。
【０００７】
好ましくは、前記挟持機構は付勢棒を含み、前記作業空間の上壁には前記付勢棒が二本固定的に設けられ、且つ二本の前記付勢棒は前記縦軸の左右両側に対称になるように設けられ、前記横溝の後壁には復位溝が形成され、前記復位溝の中には上下移動可能な測定棒が設けられ、前記測定棒の下面と前記復位溝の下壁とは推動ばねによって連結され、前記縦軸には伝動傘歯車が固定的に設けられ、前記伝動傘歯車は前記搬送ブロックの下側に設けられ、前記作業空間の左壁には貫通溝が前記作業空間の左壁を左右貫通するように形成され、前記挟持ブロックの右面と前記固定ブロックの左面とは挟持ばねによって連結され、前記挟持ブロックは左右移動することで生産ラインにある薬品を挟持する。
【０００８】
好ましくは、前記搬送機構はさらに前記作業空間の下壁に設けられた廃棄物フレームを含み、前記廃棄物フレームの中には廃棄物空間が設けられ、前記作業空間の後壁には第三伝動軸が回動可能に設けられ、前記第三伝動軸には後方から前方へ順に第五プーリと第六プーリとが固定的に設けられ、前記第五プーリには前記第二ベルトが巻かれ、前記第六プーリには第二搬送ベルトが巻かれ、前記作業空間の後壁には第四伝動軸が固定的に設けられ、前記第四伝動軸には第七プーリが回動可能に設けられ、前記第七プーリには前記第二搬送ベルトが巻かれ、前記作業空間の左壁にはモータが固定的に設けられ、前記モータの右面にはモータ軸が回動可能に設けられ、前記モータ軸には左方から右方へ順にモータ傘歯車と連結傘歯車とが設けられている。
【０００９】
好ましくは、前記測定機構はさらに移動空間の後面に固定されたエアフレームを含み、前記秤量ブロックの後面には前記移動空間が設けられ、前記エアフレームの中にはエア空間が設けられ、前記エア空間の中には上下移動可能な密封板が設けられ、前記密封板の前面は前記測定ブロックの後面に固定され、前記エア空間の前壁には第一測定穴、第二測定穴、第三測定穴が設けられ、前記エアフレームの下壁には通気口が設けられ、前記第一測定穴と前記第三測定穴は右の前記縦溝と連通しており、前記第二測定穴は左の前記縦溝と連通しており、三つの測定穴は同じ構成を有し、前記第二測定穴を例に、前記第二測定穴の右壁には左方に開口する回動空間が設けられ、前記回動空間の前壁には固定棒が固定的に設けられ、前記固定棒には密封ブロックが回動可能に設けられ、前記密封ブロックと前記固定棒とは捻りばねによって連結され、左の前記測定空間を例に、前記測定空間の後壁にはピンが固定的に設けられ、前記ピンには推動板が回動可能に設けられ、前記推動板の下面には下方に開口する回動溝が形成され、前記回動溝の後壁にはピン柱が固定的に設けられ、前記ピン柱には前記推動棒が回動可能に設けられている。
【００１０】
好ましくは、前記復位ばね、前記測定ばね、前記捻りばねは自由状態にあり、前記推動ばねと前記挟持ばねとは圧縮状態にあり、前記第一測定穴にある前記捻りばねは、前記第二測定穴にある前記捻りばねより弾性が弱く、前記第二測定穴にある前記捻りばねは、前記第三測定穴にある前記捻りばねより弾性が弱い。
【００１１】
好ましくは、前記通気口により空気は上方へしか前記エア空間に入ることができなく、前記エア空間にある空気は前記通気口を介して本願発明の外部に行けない。
【発明の効果】
【００１２】
本発明は以下のプラス効果を有する：本願発明は操作が簡単であり、本願発明を特定の位置に取り付けて作動させれば、本願発明は生産ラインにある薬品を発明内部に搬送して測定を行い、過重又は重量不足の薬品にあうと、本願発明はこれらの薬品を廃棄物フレームに捨て、合格した薬品のみを生産ラインに戻す。
【図面の簡単な説明】
【００１３】
下記に図１〜８を合わせて本発明について詳しく説明し、便利に説明するために、本願に記載の各方向を以下のように規定する：図１は本願発明の正面図であり、本願に記載の各方向は、図１における観察方向に基づくものである。
【００１４】
【図１】図１は本願発明の全体断面の正面構成略図
【図２】図２は図１の全体断面の後面構成略図
【図３】図３は図１におけるＡ部の拡大略図
【図４】図４は図１におけるＢ方向からの略図
【図５】図５は図１におけるＣ―Ｃ方向からの略図
【図６】図６は図１におけるＤ部の後側の略図
【図７】図７は図３におけるＥ―Ｅ方向からの略図
【図８】図８は図６におけるＦ―Ｆ方向からの略図
【発明を実施するための形態】
【００１５】
図１〜８を参照し、本願に記載の薬品生産ラインに用いる秤量装置は、秤量ブロック１１を含み、前記秤量ブロック１１の中には作業空間１０が設けられ、前記作業空間１０は挟持機構７５を含み、前記挟持機構７５は前記作業空間１０の上壁に回動可能に設けられた縦軸２１を含み、前記縦軸２１には二個の搬送ブロック１７が左右対称になるように設けられ、左の前記搬送ブロック１７を例に、前記搬送ブロック１７の中には横溝１８が形成され、前記横溝１８の中には左右移動可能な挟持ブロック５０が設けられ、前記横溝１８の後壁には横軸７３が回動可能に設けられ、前記横軸７３には後方から前方へ順にリール７２と接触歯車５２とが固定的に設けられ、前記リール７２には細線５１が巻かれ、前記横溝１８の下壁には固定ブロック５５が固定的に設けられ、前記固定ブロック５５は前記挟持ブロック５０の右側に設けられ、前記挟持ブロック５０の右面には前記細線５１が連結され、
前記挟持機構７５の右側には搬送機構７７が設けられ、前記搬送機構７７は前記作業空間１０の後壁に回動可能に設けられた傘歯車軸４３を含み、前記傘歯車軸４３には従動傘歯車４２と第一プーリ４７とが固定的に設けられ、前記第一プーリ４７は前記従動傘歯車４２の後側に設けられ、前記第一プーリ４７には第一ベルト４８が巻かれ、前記作業空間１０の後壁には第一伝動軸２４が回動可能に設けられ、前記第一伝動軸２４には後方から前方へ順に第二プーリ４９と第三プーリ２３とが固定的に設けられ、前記第二プーリ４９には前記第一ベルト４８が巻かれ、前記第三プーリ２３には第一搬送ベルト２５が巻かれ、前記作業空間１０の後壁には第二伝動軸２７が回動可能に設けられ、前記第二伝動軸２７には後方から前方へ順に第一プーリ４７と第四プーリ２６とが固定的に設けられ、前記第一プーリ４７には第二ベルト４６が巻かれ、前記第四プーリ２６には前記第一搬送ベルト２５が巻かれ、
前記搬送機構７７の下側には測定機構７６が設けられ、前記測定機構７６は前記作業空間１０の後壁に形成された測定溝３８を含み、前記測定溝３８の中には上下移動可能な測定ブロック３３が設けられ、前記第一搬送ベルト２５の回転により薬品を前記測定ブロック３３の上面に送られ、前記測定ブロック３３の下面と前記測定溝３８の下壁とは測定ばね３７によって連結され、前記測定ブロック３３の中には二つの測定空間３６が左右対称になるように設けられ、左の前記測定空間３６を例に、前記測定空間３６の後壁には縦溝３９が形成され、前記縦溝３９の中には上下移動可能な推動棒５８が設けられ、前記推動棒５８の下面と前記縦溝３９の下壁とは復位ばね３５によって連結され、前記測定ブロック３３は上下移動することで薬品に秤量を行う。
【００１６】
有利なことに、前記挟持機構７５は付勢棒１９を含み、前記作業空間１０の上壁には前記付勢棒１９が二本固定的に設けられ、且つ二本の前記付勢棒１９は前記縦軸２１の左右両側に対称になるように設けられ、前記横溝１８の後壁には復位溝５４が形成され、前記復位溝５４の中には上下移動可能な測定棒２０が設けられ、前記測定棒２０の下面と前記復位溝５４の下壁とは推動ばね５３によって連結され、前記縦軸２１には伝動傘歯車１５が固定的に設けられ、前記伝動傘歯車１５は前記搬送ブロック１７の下側に設けられ、前記作業空間１０の左壁には貫通溝１６が前記作業空間１０の左壁を左右貫通するように形成され、前記挟持ブロック５０の右面と前記固定ブロック５５の左面とは挟持ばね５６によって連結され、前記挟持ブロック５０は左右移動することで生産ラインにある薬品を挟持する。
【００１７】
有利なことに、前記搬送機構７７はさらに前記作業空間１０の下壁に設けられた廃棄物フレーム４１を含み、前記廃棄物フレーム４１の中には廃棄物空間４０が設けられ、前記作業空間１０の後壁には第三伝動軸２９が回動可能に設けられ、前記第三伝動軸２９には後方から前方へ順に第五プーリ４５と第六プーリ２８とが固定的に設けられ、前記第五プーリ４５には前記第二ベルト４６が巻かれ、前記第六プーリ２８には第二搬送ベルト３０が巻かれ、前記作業空間１０の後壁には第四伝動軸３２が固定的に設けられ、前記第四伝動軸３２には第七プーリ３１が回動可能に設けられ、前記第七プーリ３１には前記第二搬送ベルト３０が巻かれ、前記作業空間１０の左壁にはモータ１３が固定的に設けられ、前記モータ１３の右面にはモータ軸１４が回動可能に設けられ、前記モータ軸１４には左方から右方へ順にモータ傘歯車１２と連結傘歯車４４とが設けられている。
【００１８】
有利なことに、前記測定機構７６はさらに移動空間８１の後面に固定されたエアフレーム６２を含み、前記秤量ブロック１１の後面には前記移動空間８１が設けられ、前記エアフレーム６２の中にはエア空間６１が設けられ、前記エア空間６１の中には上下移動可能な密封板６４が設けられ、前記密封板６４の前面は前記測定ブロック３３の後面に固定され、前記エア空間６１の前壁には第一測定穴６６、第二測定穴６３、第三測定穴６７が設けられ、前記エアフレーム６２の下壁には通気口６５が設けられ、前記第一測定穴６６と前記第三測定穴６７は右の前記縦溝３９と連通しており、前記第二測定穴６３は左の前記縦溝３９と連通しており、三つの測定穴は同じ構成を有し、前記第二測定穴６３を例に、前記第二測定穴６３の右壁には左方に開口する回動空間７１が設けられ、前記回動空間７１の前壁には固定棒６９が固定的に設けられ、前記固定棒６９には密封ブロック６８が回動可能に設けられ、前記密封ブロック６８と前記固定棒６９とは捻りばね７０によって連結され、左の前記測定空間３６を例に、前記測定空間３６の後壁にはピン５９が固定的に設けられ、前記ピン５９には推動板５７が回動可能に設けられ、前記推動板５７の下面には下方に開口する回動溝８０が形成され、前記回動溝８０の後壁にはピン柱６０が固定的に設けられ、前記ピン柱６０には前記推動棒５８が回動可能に設けられている。
【００１９】
有利なことに、前記復位ばね３５、前記測定ばね３７、前記捻りばね７０は自由状態にあり、前記推動ばね５３と前記挟持ばね５６とは圧縮状態にあり、前記第一測定穴６６にある前記捻りばね７０は、前記第二測定穴６３にある前記捻りばね７０より弾性が弱く、前記第二測定穴６３にある前記捻りばね７０は、前記第三測定穴６７にある前記捻りばね７０より弾性が弱い。  
【００２０】
有利なことに、前記通気口６５により空気は上方へしか前記エア空間６１に入ることができなく、前記エア空間６１にある空気は前記通気口６５を介して本願発明の外部に行けない。
【００２１】
本願発明の作動手順は以下の通りである。
【００２２】
１、本願発明を特定位置に置き、モータ１３を作動させ、モータ軸１４はモータ１３に駆動されて回転し、モータ傘歯車１２をつれて回転させ、モータ傘歯車１２はさらに噛み合いによって伝動傘歯車１５を回転させ、縦軸２１は伝動傘歯車１５につれ回転し、搬送ブロック１７を回転させ、測定棒２０は搬送ブロック１７につれ回転し、特定位置まで回転したら、測定棒２０は付勢棒１９に押されて降下する。
【００２３】
２、測定棒２０が降下し、噛み合いによって接触歯車５２は回転し、横軸７３によってリール７２を回転させ、細線５１はリール７２の回転によって引き締まり、挟持ブロック５０を引き、そして挟持ブロック５０は縦軸２１に近づき、ここで薬品は左の挟持ブロック５０の左側に現れ、縦軸２１が引き続き回転し、推動ばね５３は測定棒２０を押して上昇させ、挟持ばね５６は挟持ブロック５０を押して縦軸２１から離れさせ、挟持ブロック５０が縦軸２１から離れて薬品を挟持する。
【００２４】
３、縦軸２１が引き続き回転し、薬品が縦軸２１の右側まで回転したら、右の付勢棒１９は測定棒２０を押して降下させ、挟持ブロック５０は縦軸２１に近づき、薬品が第一搬送ベルト２５の上面に落下する。
【００２５】
４、連結傘歯車４４はモータ軸１４につれて回転し、噛み合いによって従動傘歯車４２を回転させ、従動傘歯車４２は傘歯車軸４３によって第一プーリ４７を回転させ、第一プーリ４７は第一ベルト４８によって摩擦伝動して第二プーリ４９を回転させ、第二プーリ４９は第一伝動軸２４によって第三プーリ２３を回転させ、第三プーリ２３は第一搬送ベルト２５によって摩擦伝動して第四プーリ２６を回転させ、第一搬送ベルト２５は回転して上面にある薬品を測定ブロック３３の上面に送り、測定ブロック３３は薬品の重量によって降下し、密封板６４は測定ブロック３３につれ降下する。
【００２６】
５、薬品の重量が不足であれば、密封板６４は降下し、エア空間６１にある空気は第一測定穴６６に入って右の推動棒５８を押して上昇させ、右の推動棒５８はさらに右の推動板５７を押して右のピン５９をめぐって反時計回りに回転させ、測定ブロック３３の上面にある薬品は押されて廃棄物空間４０に入り、薬品の重量が丁度良いのであれば、密封板６４は降下し、第一測定穴６６を通過する空気は薬品を押し動かすことができなく、第二測定穴６３を通過する空気は左の推動板５７を押して回転させ、薬品を第二搬送ベルト３０の上面に送り、薬品が過重であれば、第三測定穴６７を通過する空気は右の推動板５７を押して回転させ、薬品を廃棄物空間４０に送る。
【００２７】
６、第四プーリ２６が第二伝動軸２７を回転させ、第二伝動軸２７は第一プーリ４７を回転させ、第一プーリ４７は第二ベルト４６によって摩擦伝動して第五プーリ４５を回転させ、第五プーリ４５は第三伝動軸２９を回転させ、第三伝動軸２９は第六プーリ２８を回転させ、第六プーリ２８は第二搬送ベルト３０を回転させ、第二搬送ベルト３０は上面にある合格した薬品を生産ラインに戻す。
【００２８】
以上の方式により、当該分野の技術者は本願発明の範囲内で作業状況に応じて様々な改変を加えることができる。
【要約】
【課題】本願は薬品生産ラインに用いる秤量装置を開示した。
【解決手段】
本願に記載の薬品生産ラインに用いる秤量装置は、秤量ブロックを含み、前記秤量ブロックの中には作業空間が設けられ、前記作業空間は挟持機構を含み、前記挟持機構は前記作業空間の上壁に回動可能に設けられた縦軸を含み、前記縦軸には二個の搬送ブロックが左右対称になるように設けられ、左の前記搬送ブロックを例に、前記搬送ブロックの中には横溝が形成され、前記横溝の中には左右移動可能な挟持ブロックが設けられ、前記横溝の後壁には横軸が回動可能に設けられ、前記横軸には後方から前方へ順にリールと接触歯車とが固定的に設けられ、前記リールには細線が巻かれている。
【選択図】図１【図１】
0006784891.tif 000002
【図２】
0006784891.tif 000003
【図３】
0006784891.tif 000004
【図４】
0006784891.tif 000005
【図５】
0006784891.tif 000006
【図６】
0006784891.tif 000007
【図７】
0006784891.tif 000008
【図８】
0006784891.tif 000009